(57)【要約】電源（２）からの電力を供給する電力供給部（３）と、消費電力の異なる複数の画像サイズ変換方式を含む画像サイズ変換部（４）と、複数の画像サイズ変換方式のいずれかによりサイズ変換された画像を表示する表示部（１２）と、電源の電力残量を計測する計測部（８）と、電力残量に応じて、複数の画像サイズ変換方式のいずれかを選択する選択部（９）を備える画像表示装置（１）である。この画像表示装置（１）により、電力消耗が適切に抑制され、電子機器の動作時間が延長される。【特許請求の範囲】
【請求項１】
電源からの電力を供給する電力供給部と、
消費電力の異なる複数の画像サイズ変換方式を含む画像サイズ変換部と、
前記複数の画像サイズ変換方式のいずれかによりサイズ変換された画像を表示する表示部と、
前記電源の電力残量を計測する計測部と、
前記電力残量に応じて、前記複数の画像サイズ変換方式のいずれかを選択する選択部を備える画像表示装置。
【請求項２】
前記電源が蓄電池を含む場合において、前記計測部は前記蓄電池の電力残量を計測する請求の範囲第１項記載の画像表示装置。
【請求項３】
前記計測部で計測される前記電力残量の減少に応じて、前記選択部は、前記複数の画像サイズ変換方式の内、小さい消費電力で動作する画像サイズ変換方式を選択する請求の範囲第１項記載の画像表示装置。
【請求項４】
前記電源が蓄電池と商用電源を含み、前記電力供給部が前記蓄電池からの電力を供給する場合に、前記選択部は、前記複数の画像サイズ変換方式の内、前記商用電源から電力が供給される場合に選択される画像サイズ変換方式よりも小さい消費電力で動作する画像サイズ変換方式を選択する請求の範囲第１項記載の画像表示装置。
【請求項５】
前記複数の画像サイズ変換方式は、ニアレストネイバー法、バイリニア法及びバイキュービック法の少なくとも一つを含む請求の範囲第１項記載の画像表示装置。
【請求項６】
前記電力残量が、第１閾値以上においては、前記選択部は、前記バイキュービック法を選択し、第２閾値以上第１閾値未満においては、前記選択部は、前記バイリニア法を選択し、前記第２閾値未満においては、前記選択部は、前記ニアレストネイバー法を選択する請求の範囲第１項記載の画像表示装置。
【請求項７】
前記画像表示装置にクロック信号を供給するクロック供給部を更に備え、前記クロック供給部は、前記選択部が画像サイズ変換方式を変更する場合に、前記クロック信号の周波数を変更する請求の範囲第１項記載の画像表示装置。
【請求項８】
前記複数の画像サイズ変換方式のそれぞれは、異なる周波数のクロック信号で動作するように設定され、前記クロック供給部は、前記選択部における画像サイズ変換方式の変更に従って、選択された前記画像サイズ変換方式に対応する周波数のクロック信号を供給する請求の範囲第１項記載の画像表示装置。
【請求項９】
前記複数の画像サイズ変換方式のそれぞれは、異なる大きさを有する複数のメモリの内の特定のメモリを使用し、前記選択部が、前記複数の画像サイズ変換方式のいずれかを選択する場合に、前記電力供給部は、選択された前記画像サイズ変換方式が使用する前記特定のメモリ以外のメモリへの電力供給を遮断する請求の範囲第１項記載の画像表示装置。
【発明の詳細な説明】
【技術分野】
【０００１】  本発明は、電力の残量に応じて、画像サイズを変換する変換方式を切り替えて表示する画像表示装置に関するものである。
【背景技術】
【０００２】  携帯電話や携帯端末などには、動画や静止画を表示する画像表示装置が備えられていることが多い。これらの携帯端末などは、この画像表示装置を用いて、テレビ電話などの動画像通信を行う。このとき、携帯端末の仕様や、ユーザーのニーズに応じて、画像サイズが適宜変換される。【０００３】  このような画像サイズの変換について、文献１（特開２０００−１８８６８９号公報）は、複数の画像サイズ変換方式の技術を開示する。文献１は、複数の画像サイズ変換方式として、ニアレストネイバー法、バイリニア法について開示する。これらの画像サイズ変換方式では、その方式の違いによってサイズ変換後の表示画像の画質が相違する。【０００４】  画像サイズ変換においては、画像サイズ変換後の画像の任意の画素は、画像サイズ変換前の画像の画素を用いて補間することによって得られる。図５は画素の補間を示す模式図である。【０００５】  Ｐは、注目画素であり、画像サイズ変換後の画素である。Ｐ１、Ｐ２、Ｐ３、Ｐ４は、画素Ｐの周辺に存在する画像サイズ変換前の画素である。【０００６】  ニアレストネイバー法においては、画素Ｐに最も近い距離にある画素を用いて補間して、画素Ｐが得られる。図５においては、画素Ｐ４が用いられる。【０００７】  一方、バイリニア法においては、画素Ｐの水平方向の位置を０以上１未満の数ａ、画素Ｐの垂直方向の位置を０以上１未満の数ｂとして、（１−ａ）×（１−ｂ）×Ｐ１＋ａ×（１−ｂ）×Ｐ２＋（１−ａ）×ｂ×Ｐ３＋ａ×ｂ×Ｐ４で算出される値が画素Ｐとなる。【０００８】  また、ニアレストネイバー法、バイリニア法以外にも、バイキュービック法があり、これは、近隣の８つの画素を用いて補間されて画素Ｐが得られる。【０００９】  このような複数の画像サイズ変換方式では、その演算量に違いを有しているため、必要となる消費電力が方式毎に異なる。例えば、最も演算量の少ないニアレストネイバー法は、その消費電力がもっとも小さい。最も演算量の多いバイキュービック法は、その消費電力が最も大きい。バイリニア法の消費電力は、両者の中間程度である。【００１０】  また。これらの携帯端末などは、バッテリなどの蓄電池で動作するため、電力管理が重要である。【００１１】  文献２（特開２００３−２８０６２７号公報）は、蓄電池の電力残量の減少に合わせて、画像表示の形態を変化させて、蓄電池の電力消耗を抑制する技術を開示する。例えば、電力残量が少なくなると、表示画像の諧調数が低減されたり、フレームレートが低減されたりする。あるいは、表示用光源の輝度が低下される。結果として、消費電力が削減され、蓄電池の電力消耗が抑制される。【００１２】  しかしながら、従来の技術における画像表示装置では、電力残量に応じてフレームレートや輝度が低下されるので、画質の劣化と電力消耗の抑制とのバランスが不十分であった。【００１３】  また、画像サイズ変換方式の切り替えが行われていなかったため、消費電力の高い画像サイズ変換方式が継続されてしまうので、フレームレートや輝度の低下だけでは電力消耗の抑制が十分でない問題があった。逆に、電力消耗の抑制は十分に機能しているにもかかわらず、低画質なサイズ変換方式が選択されていると、低品質な画��表示が継続されるという問題もあった。
【特許文献１】特開２０００−１８８６８９号公報
【特許文献２】特開２００３−２８０６２７号公報
【発明の開示】
【発明が解決しようとする課題】
【００１４】  本発明は、電力残量に応じて、画像サイズ変換方式を切り替え、画質と消費電力の最適なバランスを維持して電力消耗を抑制する画像表示装置を提供することを目的とする。
【課題を解決するための手段】
【００１５】  第１の発明に係る画像表示装置は、電源からの電力を供給する電力供給部と、消費電力の異なる複数の画像サイズ変換方式を含む画像サイズ変換部と、複数の画像サイズ変換方式のいずれかによりサイズ変換された画像を表示する表示部と、電源の電力残量を計測する計測部と、電力残量に応じて、複数の画像サイズ変換方式のいずれかを選択する。【００１６】  この構成により、電力残量に従って、消費電力の異なる画像サイズ変換方式が選択される。このため、消費電力と画質とのバランスが維持される。【００１７】  第２の発明に係る画像表示装置では、電源が蓄電池を含む場合において、計測部は蓄電池の電力残量を計測する。【００１８】  この構成により、電力消耗の生じる蓄電池を使用する場合であっても、電力消耗を抑制して画像サイズ変換が持続される。【００１９】  第３の発明に係る画像表示装置では、計測部で計測される電力残量の減少に応じて、選択部は、複数の画像サイズ変換方式の内、小さい消費電力で動作する画像サイズ変換方式を選択する。【００２０】  この構成により、電力残量の少ないときには、消費電力の小さな画像サイズ変換方式で動作し、電力消耗が抑制される。【００２１】  第４の発明に係る画像表示装置では、電源が蓄電池と商用電源を含み、電力供給部が蓄電池からの電力を供給する場合に、選択部は、複数の画像サイズ変換方式の内、商用電源から電力が供給される場合に選択される画像サイズ変換方式よりも小さい消費電力で動作する画像サイズ変換方式を選択する。【００２２】  この構成により、蓄電池と商用電源との切り替えにより動作する場合でも、電力残量を考慮しながら、画像サイズ変換の処理が実行される。【００２３】  第５の発明に係る画像表示装置では、複数の画像サイズ変換方式は、ニアレストネイバー法、バイリニア法及びバイキュービック法の少なくとも一つを含む。【００２４】  この構成により、画像表示装置は、消費電力の異なる複数の画像サイズ変換方式を含む。これら複数の画像サイズ変換方式から、任意に選択されることで、電力消耗が抑制される。【００２５】  第６の発明に係る画像表示装置では、電力残量が、第１閾値以上においては、選択部は、バイキュービック法を選択し、第２閾値以上第１閾値未満においては、選択部は、バイリニア法を選択し、第２閾値未満においては、選択部は、ニアレストネイバー法を選択する。【００２６】  この構成により、電力残量の減少に応じて、消費電力の小さい画像サイズ変換方式が選択される。【００２７】  第７の発明に係る画像表示装置では、画像表示装置にクロック信号を供給するクロック供給部を更に備え、クロック供給部は、選択部が画像サイズ変換方式を変更する場合に、クロック信号の周波数を変更する。【００２８】  この構成により、画像サイズ変換方式の切り替えによる消費電力削減に加えて、更に消費電力が削減されるので、電力消耗が効果的に抑制される。【００２９】  第８の発明に係る画像表示装置では、複数の画像サイズ変換方式のそれぞれは、異なる周波数のクロック信号で動作するように設定され、クロック供給部は、選択部における画像サイズ変換方式の変更に従って、選択された画像サイズ変換方式に対応する周波数のクロック信号を供給する。【００３０】  この構成により、電力消耗が効果的に抑制される。【００３１】  第９の発明に係る画像表示装置では、複数の画像サイズ変換方式のそれぞれは、異なる大きさを有する複数のメモリの内の特定のメモリを使用し、選択部が、複数の画像サイズ変換方式のいずれかを選択する場合に、電力供給部は、選択された画像サイズ変換方式が使用する特定のメモリ以外のメモリへの電力供給を遮断する。【００３２】  この構成により、更に消費電力が削減され、電力消耗が効果的に抑制される。
【発明の効果】
【００３３】  本発明の画像表示装置によれば、電力残量に応じて画像サイズ変換方式を切り替えることができ、電力消耗を適切に抑制できる。電力残量が十分に残っている場合は、高画質の画像サイズ変換方式が選択されて、高画質の画像が表示される。一方、電力残量が不十分な場合は、画質を犠牲にして、低消費電力の画像サイズ変換方式が選択される。このように、画質と消費電力とのバランスが図られる。【００３４】  また、画像サイズ変換方式の選択に伴って、不要なメモリへの電力供給が制限されたり、クロック信号の周波数が変化されたりすることで、更なる電力消耗の抑制が図られる。
【図面の簡単な説明】
【００３５】
【図１】本発明の実施の形態１における画像表示装置のブロック図である。
【図２】本発明の実施の形態２における画像表示装置のブロック図である。
【図３】本発明の実施の形態３における画像表示装置のブロック図である。
【図４】本発明の実施の形態４における画像表示装置のブロック図である。
【図５】画素の補間を示す模式図である。
【符号の説明】
【００３６】１  画像表示装置
２  電源
３  電力供給部
４  画像サイズ変換部
５  バイキュービック法
６  バイリニア法
７  ニアレストネイバー法
８  計測部
９  選択部
１０  画像入力部
１１  画像格納部
１２  表示部
１３  蓄電池
１４  商用電源
１５、１６、１７  メモリ
１８  クロック供給部
【発明を実施するための最良の形態】
【００３７】  以下本発明の実施の形態について、図面を参照しながら説明する。【００３８】  （実施の形態１）
図１は、本発明の実施の形態１における画像表示装置のブロック図である。【００３９】  画像表示装置１は、次の要素を備える。【００４０】  電源２は、電力供給部３を介して、画像表示装置１に含まれる各要素に電力を供給する。画像サイズ変換部４は、異なる消費電力を有する複数の画像サイズ変換方式を用いて、入力画像の画像サイズを変換する。図１では、画像サイズ変換部４は、バイキュービック法５、バイリニア法６、ニアレストネイバー法７の３つの画像サイズ変換方式を有している。表示部１２は、サイズ変換された画像を表示する。計測部８は、電源２の電力残量を計測する。選択部９は、電力残量に応じて、画像細部変換部４に含まれる複数の画像サイズ変換方式のいずれかを選択する。【００４１】  各部の詳細と動作について説明する。【００４２】  まず、画像サイズ変換部４について説明する。画像サイズ変換部４は、入力画像の画像サイズを縮小、もしくは拡大する。ここで、画像サイズ変換部４は、消費電力の異なる画像サイズ変換方式を有している。【００４３】  バイキュービック法５は、変換後のある画素を生成するのに、近接する上下左右全ての画素を用いて補間する。補間においては、乗算、加算などの多数の演算を必要とするため、バイキュービック法５がハードウェアで実装されていても、ソフトウェアで実装されていても、大きな消費電力を要する。但し、補間において多数の周辺画素が用いられるため、サイズ変換後の画像の画質は高い。【００４４】  次に、バイリニア法６は、変換後のある画素を生成するのに、近接する４個の画素を用いて補間する。このとき、この４個の画素の値と、係数を用いた乗算と加算の処理が行われる。このため、バイリニア法６がハードウェアで実装されていても、ソフトウェアで実装されていても、演算量が多く、消費電力は大きい。但し、バイキュービック法５よりも演算量は少ないので、バイリニア法６の消費電力は、バイキュービック法５の消費電力よりも小さい。また、バイリニア法６によりサイズ変換された画像の画質は、バイキュービック法５でサイズ変換された画質よりも低いが、次に述べるニアレストネイバー法７でサイズ変換された画質よりも高い。【００４５】  ニアレストネイバー法７は、変換後のある画素を生成するのに、最も近接する１つの画素を用いて補間する。ニアレストネイバー法７では、このように補間においては１つの画素のみが用いられるので、演算量は少ない。このため、３つの画像サイズ変換方式の中では、もっとも消費電力が小さい。しかしながら、ニアレストネイバー法７でサイズ変換された画像は、ぎざぎざが目立ち、他の２つの画像サイズ変換方式に比べて、変換後の画質が悪い。【００４６】  画像サイズ変換部４は、これらのように異なる演算処理により異なる消費電力を有する複数の画像サイズ変換方式を有している。【００４７】  なお、ここでは、バイキュービック法５、バイリニア法６、ニアレストネイバー法７の３つを例として挙げたが、これら以外の方式を含んでもよい。【００４８】  次に、計測部８について説明する。【００４９】  計測部８は、電源２の電力残量を測定する。計測部８は、電源２からの電流などを計測することで、その電力残量を測定する。この��き、計測部８は、電力残量を絶対的な数値として測定してもよく、任意に設けられた閾値を基準とした残量レベルとして測定してもよい。【００５０】  なお、計測部８は、電源２が蓄電池を含む場合には、この蓄電池の電力残量を測定する。このため、蓄電池の電力残量に従って、選択部９は動作する。【００５１】  次に、選択部９について説明する。【００５２】  選択部９は、計測部８で計測された電力残量に従い、画像サイズ変換部４に含まれる複数の画像サイズ変換方式のいずれかを選択する。選択部９は、任意の電圧値や電力値、あるいは電流値を閾値として定める。選択部９はこの閾値を基準として、画像サイズ変換方式を選択する。【００５３】  例えば、選択部９は、電力などについて、第１閾値と第２閾値を設ける。ここで、第１閾値は、第２閾値よりもその電力残量が大きい。選択部９は、計測部８から通知される電力残量を、第１閾値と第２閾値と比較する。比較の結果、電力残量が第１閾値以上であるか、第２閾値以上第１閾値未満であるか、第２閾値未満であるかを判断する。【００５４】  なお、計測部８が、この第１閾値と第２閾値を備え、計測された電力残量が、第１閾値以上であるか、第２閾値以上第１閾値未満であるか、第２閾値未満であるかを判断し、その結果を選択部９に出力してもよい。【００５５】  選択部９は、電力残量が第１閾値以上の場合には、バイキュービック法５を選択する。電力残量が十分であるので、変換後の画質の最もよいバイキュービック法５が、選択対象として最適であるからである。電力残量が第２閾値以上第１閾値未満の場合には、選択部９は、バイリニア法６を選択する。中程度の消費電力と画質を有するバイリニア法６が、選択対象として最適だからである。電力残量が第２閾値未満の場合には、選択部９は、ニアレストネイバー法７を選択する。電力残量がもっとも少ない状態であるので、消費電力の最も小さいニアレストネイバー法７が、選択対象として最適だからである。【００５６】  なお、これらの選択の手順は一例であり、閾値の設定、閾値と選択される画像サイズ変換方式の関係は、任意に定められればよい。また、これらの設定などは、事後的に変更されてもよい。【００５７】  また、電源２として蓄電池が用いられる場合には、計測部８は、蓄電池の電力残量を測定し、選択部９は、蓄電池の電力残量に応じて画像サイズ変換方式を選択する。【００５８】  なお、画像サイズ変換部４が更に多くの画像サイズ変換方式を備える場合は、選択部９は、更に多くの閾値を設定して、画像サイズ変換方式を選択する。【００５９】  選択部９での選択結果は、画像サイズ変換部４に通知される。画像サイズ変換部４は、この通知を受けて、選択された画像サイズ変換方式に従い、実際に画像サイズの変換を行う。サイズ変換された画像データは、画像格納部１１に記憶される。表示部１２は、格納されているサイズ変換された画像データを読み出し、表示する。表示部１２は、例えば液晶ディスプレイなどを備える。【００６０】  選択部９において電力残量に応じて選択された画像サイズ変換方式により、画像サイズ変換された画像が、最終的に表示部１２で表示される。電力残量が考慮されて、画像サイズ変換方式が選択されているの���、電源の消耗が抑制される。【００６１】  （実施の形態２）
次に実施の形態２について、図２を用いて説明する。【００６２】  図２は、本発明の実施の形態２における画像表示装置のブロック図である。図１と異なり、電源２は、蓄電池１３と商用電源１４を備えている。画像表示装置１は、使用者の切り替えにより、商標電源１４から電力の供給を受けたり、蓄電池１３から電力の供給を受けたりする。例えば、商用電源１４が電力供給できない場合に、蓄電池１３が電力を供給する。【００６３】  ここで、電源２において、蓄電池１３が電力を供給する場合に、計測部８は、電力残量を計測する。計測結果は選択部９に通知され、選択部９は、電力残量に従って、画像サイズ変換方式を選択する。選択は、実施の形態１で説明された内容と同様である。【００６４】  実施の形態２においては、電源２として商用電源１４が用いられる場合と、蓄電池１３が用いられる場合の相違に応じて、画像サイズ変換方式が選択される。【００６５】  例えば、電源２として商用電源１４が用いられる場合には、消費電力の大きいバイキュービック法５やバイリニア法６が選択される。商用電源１４による電力供給であれば、電力残量が低下することは少なく、消費電力が大きくても画質の高いバイキュービック法５やバイリニア法６が選択されることが好適だからである。【００６６】  選択部９で選択された方式により、画像サイズ変換部４は、入力画像をサイズ変換して、画像格納部１１に、画像データを格納する。表示部１２は、画像格納部１１から画像データを取り出して、サイズ変換された画像を表示する。【００６７】  一方、電源２として蓄電池１３が用いられる場合には、消費電力の小さなニアレストネイバー法７が選択される。蓄電池１３が用いられる場合には、電力消耗を最大限に抑制することが求められるので、消費電力の小さな画像サイズ変換方式が選択される。このように、蓄電池１３が用いられる場合には、最初から消費電力の小さな画像サイズ変換方式が選択されることで、蓄電池１３が使用されている間の電力消費を最小限にできる。【００６８】  もちろん、実施の形態１で説明したように、蓄電池１３が用いられる場合でも、電力残量に応じて画像サイズ変換方式を切り替えてもよい。【００６９】  なお、画像表示装置１が組み込まれた電子機器に設けられる電源切り替えスイッチなどからの通知により、蓄電池１３と商用電源１４のいずれが用いられるかを、選択部９は判断する。すなわち、使用者の設定動作（電源切り替えスイッチの設定動作など）に連動して、画像サイズ変換方式が選択される。【００７０】  以上の処理により、商用電源１４から電力供給がされて電力消耗が問題にならない場合には、表示される画像の画質が優先される。蓄電池１３から電力供給がされて電力消耗が問題となる場合には、画質よりも消費電力が優先される。結果として、電子機器の動作時間と表示画質とのバランスが最適に図られる。【００７１】  （実施の形態３）
次に、実施の形態３について図３を用いて説明する。【００７２】  図３は、本発明の実施の形態３における画像表示装置のブロック図である。実施の形態３における画像表示装置１では、画像サイズ変換部４に含まれるメモリへの電力供給の制限により、更に電源２の電力消耗が抑制される。【００７３】  メモリ１５、メモリ１６、メモリ１７は、画像サイズ変換部４に設けられている。【００７４】  メモリ１５は、バイキュービック法５による補間の際に、演算の中間結果などを記憶する。すなわち、メモリ１５は、バイキュービック法５の専用メモリとして用いられる。【００７５】  メモリ１６は、バイリニア法６による補間の際に、演算の中間結果などを記憶する。すなわち、メモリ１６は、バイリニア法６の専用メモリとして用いられる。【００７６】  メモリ１７は、ニアレストネイバー法７による補間の際に、演算の中間結果などを記憶する。すなわち、メモリ１７は、ニアレストネイバー法７の専用メモリとして用いられる。【００７７】  なお、図３では、メモリ１５〜１７は、画像サイズ変換部４内部に含まれているが、実際の装置においては、分離して設けられてもよい。【００７８】  電力供給部３は、選択部９での選択結果を受けて、選択されない画像サイズ変換方式が使用するメモリに対する電力を遮断する。例えば、選択部９が、バイキュービック法５を選択した場合には、電力供給部３は、使用されないメモリ１６とメモリ１７に対する電力供給を遮断する。選択部９が、バイリニア法６を選択した場合には、電力供給部３は、使用されないメモリ１５とメモリ１７に対する電力供給を遮断する。選択部９が、ニアレストネイバー法７を選択した場合には、電力供給部３は、使用されないメモリ１５とメモリ１６に対する電力供給を遮断する。【００７９】  また、メモリのみならず、選択されない画像サイズ変換方式を実現する回路に対する電力供給が遮断されることも好適である。画像サイズ変換に用いられる演算部などを実現する回路などへの電力供給も合わせて制限されることで、電力消耗が更に抑制される。【００８０】  以上のように、選択部９での選択結果に基づいて、電力供給が制限されることで、電力消耗が更に抑制される。【００８１】  （実施の形態４）
次に、実施の形態４について図４を用いて説明する。【００８２】  図４は、本発明の実施の形態４における画像表示装置のブロック図である。図４においては、図１などと異なりクロック供給部１８が備えられている。なお、図３に示されているメモリ１５〜１７も、必要に応じて備えられる。【００８３】  クロック供給部１８は、画像表示装置１内部にクロック信号を供給する。特に、画像サイズ変換部４に対してクロック信号を供給する。【００８４】  クロック供給部１８は、選択部９での選択結果の通知を受ける。この通知により、クロック供給部１８は、複数の画像サイズ変換方式の内、どれが選択されたかを認識できる。この認識に基づいて、クロック供給部１８は、出力するクロック信号の周波数を増減させる。例えば、ニアレストネイバー法７が選択された場合には、電力残量が少ない状態であるので、クロック供給部１８は、出力するクロック信号の周波数を低減する。クロック信号の周波数低減により、電力消耗が更に抑制される。逆に、バイキュービック法５やバイリニア法６が選択された場合には、クロック供給部１８は、出力するクロック信号の周波数を通常の周波数に維持する。【００８５】  以上の処理により、電力残量が十分に残っている場合には、画像サイズ変換を高速に行うことのできる周波数のクロック信号が供給される。電力残量が少なくなった場合には、消費電力の少ない画像サイズ変換方式が選択されるのに加えて、クロック周波数も低減されて、電力消耗がさらに抑制される。また、実施の形態３で説明したように、選択されなかった画像サイズ変換方式を実現する回路やメモリなどへの電力供給が制限されることも同時に行われることも好適である。更なる電力消耗の抑制が実現される。【００８６】  また、クロック供給部１８は、画像サイズ変換方式毎に異なる周波数のクロック信号を出力してもよい。【００８７】  例えば、クロック供給部１８は、バイキュービック法５の場合には３０ＭＨｚの周波数を持つクロック信号を出力し、バイリニア法６の場合には、２５ＭＨｚの周波数を持つクロック信号を出力し、ニアレストネイバー法７の場合には、２０ＭＨｚの周波数を持つクロック信号を出力する。【００８８】  クロック供給部１８は、選択部９での選択結果に従い、選択された画像サイズ変換方式に対応する周波数のクロック信号を出力する。上記の例に従えば、例えば選択部９がバイキュービック法５を選択した場合は、クロック供給部１８は、３０ＭＨｚの周波数のクロック信号を出力する。選択部９がバイリニア法６を選択した場合は、クロック供給部１８は、２５ＭＨｚの周波数のクロック信号を出力する。選択部９がニアレストネイバー法７を選択した場合には、クロック供給部１８は、２０ＭＨｚの周波数のクロック信号を出力する。演算量の違いにより消費電力の小さい画像サイズ変換方式が選択される場合には、クロック周波数も低くなるため、更なる電力消耗の抑制が行われる。【００８９】  以上のように、クロック供給部１８は、クロック周波数の増減を行うのではなく、選択された画像サイズ変換方式に対応するクロック周波数に切り替えることも好適である。【００９０】  実施の形態４における画像表示装置１により、電力残量に応じて消費電力を適宜減少させることが可能である。
【産業上の利用可能性】
【００９１】  本発明は、電力消耗を適切に抑制する画像表示装置を備えた携帯端末などの電子機器において好適に利用できる。
【図１】
2006057133.tif 000002
【図２】
2006057133.tif 000003
【図３】
2006057133.tif 000004
【図４】
2006057133.tif 000005
【図５】
2006057133.tif 000006
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
電源からの電力を供給する電力供給部と、
消費電力の異なる複数の画像サイズ変換方式を含む画像サイズ変換部と、
前記複数の画像サイズ変換方式のいずれかによりサイズ変換された画像を表示する表示部と、
前記電源の電力残量を計測する計測部と、
前記電力残量に応じて、前記複数の画像サイズ変換方式のいずれかを選択する選択部を備える画像表示装置。
【請求項２】
前記電源が蓄電池を含む場合において、前記計測部は前記蓄電池の電力残量を計測する請求の範囲第１項記載の画像表示装置。
【請求項３】
前記計測部で計測される前記電力残量の減少に応じて、前記選択部は、前記複数の画像サイズ変換方式の内、小さい消費電力で動作する画像サイズ変換方式を選択する請求の範囲第１項記載の画像表示装置。
【請求項４】
前記電源が蓄電池と商用電源を含み、前記電力供給部が前記蓄電池からの電力を供給する場合に、前記選択部は、前記複数の画像サイズ変換方式の内、前記商用電源から電力が供給される場合に選択される画像サイズ変換方式よりも小さい消費電力で動作する画像サイズ変換方式を選択する請求の範囲第１項記載の画像表示装置。
【請求項５】
前記複数の画像サイズ変換方式は、ニアレストネイバー法、バイリニア法及びバイキュービック法の少なくとも一つを含む請求の範囲第１項記載の画像表示装置。
【請求項６】
前記電力残量が、第１閾値以上においては、前記選択部は、前記バイキュービック法を選択し、第２閾値以上第１閾値未満においては、前記選択部は、前記バイリニア法を選択し、前記第２閾値未満においては、前記選択部は、前記ニアレストネイバー法を選択する請求の範囲第１項記載の画像表示装置。
【請求項７】
前記画像表示装置にクロック信号を供給するクロック供給部を更に備え、前記クロック供給部は、前記選択部が画像サイズ変換方式を変更する場合に、前記クロック信号の周波数を変更する請求の範囲第１項記載の画像表示装置。
【請求項８】
前記複数の画像サイズ変換方式のそれぞれは、異なる周波数のクロック信号で動作するように設定され、前記クロック供給部は、前記選択部における画像サイズ変換方式の変更に従って、選択された前記画像サイズ変換方式に対応する周波数のクロック信号を供給する請求の範囲第１項記載の画像表示装置。
【請求項９】
前記複数の画像サイズ変換方式のそれぞれは、異なる大きさを有する複数のメモリの内の特定のメモリを使用し、前記選択部が、前記複数の画像サイズ変換方式のいずれかを選択する場合に、前記電力供給部は、選択された前記画像サイズ変換方式が使用する前記特定のメモリ以外のメモリへの電力供給を遮断する請求の範囲第１項記載の画像表示装置。
【手続補正２】
【補正対象書類名】明細書
【補正対象項目名】全文
【補正方法】変更
【補正の内容】
【発明の詳細な説明】
【技術分野】
【０００１】
本発明は、電力の残量に応じて、画像サイズを変換する変換方式を切り替えて表示する画像表示装置に関するものである。
【背景技術】
【０００２】
携帯電話や携帯端末などには、動画や静止画を表示する画像表示装置が備えられていることが多い。これらの携帯端末などは、この画像表示装置を用いて、テレビ電話などの動画像通信を行う。このとき、携帯端末の仕様や、ユーザーのニーズに応じて、画像サイズが適宜変換される。
【０００３】
このような画像サイズの変換について、文献１（特開２０００−１８８６８９号公報）は、複数の画像サイズ変換方式の技術を開示する。文献１は、複数の画像サイズ変換方式として、ニアレストネイバー法、バイリニア法について開示する。これらの画像サイズ変換方式では、その方式の違いによってサイズ変換後の表示画像の画質が相違する。
【０００４】
画像サイズ変換においては、画像サイズ変換後の画像の任意の画素は、画像サイズ変換前の画像の画素を用いて補間することによって得られる。図５は画素の補間を示す模式図である。
【０００５】
Ｐは、注目画素であり、画像サイズ変換後の画素である。Ｐ１、Ｐ２、Ｐ３、Ｐ４は、画素Ｐの周辺に存在する画像サイズ変換前の画素である。
【０００６】
ニアレストネイバー法においては、画素Ｐに最も近い距離にある画素を用いて補間して、画素Ｐが得られる。図５においては、画素Ｐ４が用いられる。
【０００７】
一方、バイリニア法においては、画素Ｐの水平方向の位置を０以上１未満の数ａ、画素Ｐの垂直方向の位置を０以上１未満の数ｂとして、（１−ａ）×（１−ｂ）×Ｐ１＋ａ×（１−ｂ）×Ｐ２＋（１−ａ）×ｂ×Ｐ３＋ａ×ｂ×Ｐ４で算出される値が画素Ｐとなる。
【０００８】
また、ニアレストネイバー法、バイリニア法以外にも、バイキュービック法があり、これは、近隣の８つの画素を用いて補間されて画素Ｐが得られる。
【０００９】
このような複数の画像サイズ変換方式では、その演算量に違いを有しているため、必要となる消費電力が方式毎に異なる。例えば、最も演算量の少ないニアレストネイバー法は、その消費電力がもっとも小さい。最も演算量の多いバイキュービック法は、その消費電力が最も大きい。バイリニア法の消費電力は、両者の中間程度である。
【００１０】
また。これらの携帯端末などは、バッテリなどの蓄電池で動作するため、電力管理が重要である。
【００１１】
文献２（特開２００３−２８０６２７号公報）は、蓄電池の電力残量の減少に合わせて、画像表示の形態を変化させて、蓄電池の電力消耗を抑制する技術を開示する。例えば、電力残量が少なくなると、表示画像の諧調数が低減されたり、フレームレートが低減されたりする。あるいは、表示用光源の輝度が低下される。結果として、消費電力が削減され、蓄電池の電力消耗が抑制される。
【００１２】
しかしながら、従来の技術における画像表示装置では、電力残量に応じてフレームレートや輝度が低下されるので、画質の劣化と電力消耗の抑制とのバランスが不十分であった。
【００１３】
また、画像サイズ変換方式の切り替えが行われていなかったため、消費電力の高い画像サイズ変換方式が継続されてしまうので、フレームレートや輝度の低下だけでは電力消耗の抑制が十分でない問題があった。逆に、電力消耗の抑制は十分に機能しているにもかかわらず、低画質なサイズ変換方式が選択されていると、低品質な画像表示が継続されるという問題もあった。
【特許文献１】特開２０００−１８８６８９号公報
【特許文献２】特開２００３−２８０６２７号公報
【発明の開示】
【発明が解決しようとする課題】
【００１４】
本発明は、電力残量に応じて、画像サイズ変換方式を切り替え、画質と消費電力の最適なバランスを維持して電力消耗を抑制する画像表示装置を提供することを目的とする。
【課題を解決するための手段】
【００１５】
第１の発明に係る画像表示装置は、電源からの電力を供給する電力供給部と、消費電力の異なる複数の画像サイズ変換方式を含む画像サイズ変換部と、複数の画像サイズ変換方式のいずれかによりサイズ変換された画像を表示する表示部と、電源の電力残量を計測する計測部と、電力残量に応じて、複数の画像サイズ変換方式のいずれかを選択する。
【００１６】
この構成により、電力残量に従って、消費電力の異なる画像サイズ変換方式が選択される。このため、消費電力と画質とのバランスが維持される。
【００１７】
第２の発明に係る画像表示装置では、電源が蓄電池を含む場合において、計測部は蓄電池の電力残量を計測する。
【００１８】
この構成により、電力消耗の生じる蓄電池を使用する場合であっても、電力消耗を抑制して画像サイズ変換が持続される。
【００１９】
第３の発明に係る画像表示装置では、計測部で計測される電力残量の減少に応じて、選択部は、複数の画像サイズ変換方式の内、小さい消費電力で動作する画像サイズ変換方式を選択する。
【００２０】
この構成により、電力残量の少ないときには、消費電力の小さな画像サイズ変換方式で動作し、電力消耗が抑制される。
【００２１】
第４の発明に係る画像表示装置では、電源が蓄電池と商用電源を含み、電力供給部が蓄電池からの電力を供給する場合に、選択部は、複数の画像サイズ変換方式の内、商用電源から電力が供給される場合に選択される画像サイズ変換方式よりも小さい消費電力で動作する画像サイズ変換方式を選択する。
【００２２】
この構成により、蓄電池と商用電源との切り替えにより動作する場合でも、電力残量を考慮しながら、画像サイズ変換の処理が実行される。
【００２３】
第５の発明に係る画像表示装置では、複数の画像サイズ変換方式は、ニアレストネイバー法、バイリニア法及びバイキュービック法の少なくとも一つを含む。
【００２４】
この構成により、画像表示装置は、消費電力の異なる複数の画像サイズ変換方式を含む。これら複数の画像サイズ変換方式から、任意に選択されることで、電力消耗が抑制される。
【００２５】
第６の発明に係る画像表示装置では、電力残量が、第１閾値以上においては、選択部は、バイキュービック法を選択し、第２閾値以上第１閾値未満においては、選択部は、バイリニア法を選択し、第２閾値未満においては、選択部は、ニアレストネイバー法を選択する。
【００２６】
この構成により、電力残量の減少に応じて、消費電力の小さい画像サイズ変換方式が選択される。
【００２７】
第７の発明に係る画像表示装置では、画像表示装置にクロック信号を供給するクロック供給部を更に備え、クロック供給部は、選択部が画像サイズ変換方式を変更する場合に、クロック信号の周波数を変更する。
【００２８】
この構成により、画像サイズ変換方式の切り替えによる消費電力削減に加えて、更に消費電力が削減されるので、電力消耗が効果的に抑制される。
【００２９】
第８の発明に係る画像表示装置では、複数の画像サイズ変換方式のそれぞれは、異なる周波数のクロック信号で動作するように設定され、クロック供給部は、選択部における画像サイズ変換方式の変更に従って、選択された画像サイズ変換方式に対応する周波数のクロック信号を供給する。
【００３０】
この構成により、電力消耗が効果的に抑制される。
【００３１】
第９の発明に係る画像表示装置では、複数の画像サイズ変換方式のそれぞれは、異なる大きさを有する複数のメモリの内の特定のメモリを使用し、選択部が、複数の画像サイズ変換方式のいずれかを選択する場合に、電力供給部は、選択された画像サイズ変換方式が使用する特定のメモリ以外のメモリへの電力供給を遮断する。
【００３２】
この構成により、更に消費電力が削減され、電力消耗が効果的に抑制される。
【発明の効果】
【００３３】
本発明の画像表示装置によれば、電力残量に応じて画像サイズ変換方式を切り替えることができ、電力消耗を適切に抑制できる。電力残量が十分に残っている場合は、高画質の画像サイズ変換方式が選択されて、高画質の画像が表示される。一方、電力残量が不十分な場合は、画質を犠牲にして、低消費電力の画像サイズ変換方式が選択される。このように、画質と消費電力とのバランスが図られる。
【００３４】
また、画像サイズ変換方式の選択に伴って、不要なメモリへの電力供給が制限されたり、クロック信号の周波数が変化されたりすることで、更なる電力消耗の抑制が図られる。
【発明を実施するための最良の形態】
【００３５】
以下本発明の実施の形態について、図面を参照しながら説明する。
【００３６】
（実施の形態１）
図１は、本発明の実施の形態１における画像表示装置のブロック図である。
【００３７】
画像表示装置１は、次の要素を備える。
【００３８】
電源２は、電力供給部３を介して、画像表示装置１に含まれる各要素に電力を供給する。画像サイズ変換部４は、異なる消費電力を有する複数の画像サイズ変換方式を用いて、入力画像の画像サイズを変換する。図１では、画像サイズ変換部４は、バイキュービック法５、バイリニア法６、ニアレストネイバー法７の３つの画像サイズ変換方式を有している。表示部１２は、サイズ変換された画像を表示する。計測部８は、電源２の電力残量を計測する。選択部９は、電力残量に応じて、画像細部変換部４に含まれる複数の画像サイズ変換方式のいずれかを選択する。
【００３９】
各部の詳細と動作について説明する。
【００４０】
まず、画像サイズ変換部４について説明する。画像サイズ変換部４は、入力画像の画像サイズを縮小、もしくは拡大する。ここで、画像サイズ変換部４は、消費電力の異なる画像サイズ変換方式を有している。
【００４１】
バイキュービック法５は、変換後のある画素を生成するのに、近接する上下左右全ての画素を用いて補間する。補間においては、乗算、加算などの多数の演算を必要とするため、バイキュービック法５がハードウェアで実装されていても、ソフトウェアで実装されていても、大きな消費電力を要する。但し、補間において多数の周辺画素が用いられるため、サイズ変換後の画像の画質は高い。
【００４２】
次に、バイリニア法６は、変換後のある画素を生成するのに、近接する４個の画素を用いて補間する。このとき、この４個の画素の値と、係数を用いた乗算と加算の処理が行われる。このため、バイリニア法６がハードウェアで実装されていても、ソフトウェアで実装されていても、演算量が多く、消費電力は大きい。但し、バイキュービック法５よりも演算量は少ないので、バイリニア法６の消費電力は、バイキュービック法５の消費電力よりも小さい。また、バイリニア法６によりサイズ変換された画像の画質は、バイキュービック法５でサイズ変換された画質よりも低いが、次に述べるニアレストネイバー法７でサイズ変換された画質よりも高い。
【００４３】
ニアレストネイバー法７は、変換後のある画素を生成するのに、最も近接する１つの画素を用いて補間する。ニアレストネイバー法７では、このように補間においては１つの画素のみが用いられるので、演算量は少ない。このため、３つの画像サイズ変換方式の中では、もっとも消費電力が小さい。しかしながら、ニアレストネイバー法７でサイズ変換された画像は、ぎざぎざが目立ち、他の２つの画像サイズ変換方式に比べて、変換後の画質が悪い。
【００４４】
画像サイズ変換部４は、これらのように異なる演算処理により異なる消費電力を有する複数の画像サイズ変換方式を有している。
【００４５】
なお、ここでは、バイキュービック法５、バイリニア法６、ニアレストネイバー法７の３つを例として挙げたが、これら以外の方式を含んでもよい。
【００４６】
次に、計測部８について説明する。
【００４７】
計測部８は、電源２の電力残量を測定する。計測部８は、電源２からの電流などを計測することで、その電力残量を測定する。このとき、計測部８は、電力残量を絶対的な数値として測定してもよく、任意に設けられた閾値を基準とした残量レベルとして測定してもよい。
【００４８】
なお、計測部８は、電源２が蓄電池を含む場合には、この蓄電池の電力残量を測定する。このため、蓄電池の電力残量に従って、選択部９は動作する。
【００４９】
次に、選択部９について説明する。
【００５０】
選択部９は、計測部８で計測された電力残量に従い、画像サイズ変換部４に含まれる複数の画像サイズ変換方式のいずれかを選択する。選択部９は、任意の電圧値や電力値、あるいは電流値を閾値として定める。選択部９はこの閾値を基準として、画像サイズ変換方式を選択する。
【００５１】
例えば、選択部９は、電力などについて、第１閾値と第２閾値を設ける。ここで、第１閾値は、第２閾値よりもその電力残量が大きい。選択部９は、計測部８から通知される電力残量を、第１閾値と第２閾値と比較する。比較の結果、電力残量が第１閾値以上であるか、第２閾値以上第１閾値未満であるか、第２閾値未満であるかを判断する。
【００５２】
なお、計測部８が、この第１閾値と第２閾値を備え、計測された電力残量が、第１閾値以上であるか、第２閾値以上第１閾値未満であるか、第２閾値未満であるかを判断し、その結果を選択部９に出力してもよい。
【００５３】
選択部９は、電力残量が第１閾値以上の場合には、バイキュービック法５を選択する。電力残量が十分であるので、変換後の画質の最もよいバイキュービック法５が、選択対象として最適であるからである。電力残量が第２閾値以上第１閾値未満の場合には、選択部９は、バイリニア法６を選択する。中程度の消費電力と画質を有するバイリニア法６が、選択対象として最適だからである。電力残量が第２閾値未満の場合には、選択部９は、ニアレストネイバー法７を選択する。電力残量がもっとも少ない状態であるので、消費電力の最も小さいニアレストネイバー法７が、選択対象として最適だからである。
【００５４】
なお、これらの選択の手順は一例であり、閾値の設定、閾値と選択される画像サイズ変換方式の関係は、任意に定められればよい。また、これらの設定などは、事後的に変更されてもよい。
【００５５】
また、電源２として蓄電池が用いられる場合には、計測部８は、蓄電池の電力残量を測定し、選択部９は、蓄電池の電力残量に応じて画像サイズ変換方式を選択する。
【００５６】
なお、画像サイズ変換部４が更に多くの画像サイズ変換方式を備える場合は、選択部９は、更に多くの閾値を設定して、画像サイズ変換方式を選択する。
【００５７】
選択部９での選択結果は、画像サイズ変換部４に通知される。画像サイズ変換部４は、この通知を受けて、選択された画像サイズ変換方式に従い、実際に画像サイズの変換を行う。サイズ変換された画像データは、画像格納部１１に記憶される。表示部１２は、格納されているサイズ変換された画像データを読み出し、表示する。表示部１２は、例えば液晶ディスプレイなどを備える。
【００５８】
選択部９において電力残量に応じて選択された画像サイズ変換方式により、画像サイズ変換された画像が、最終的に表示部１２で表示される。電力残量が考慮されて、画像サイズ変換方式が選択されているので、電源の消耗が抑制される。
【００５９】
（実施の形態２）
次に実施の形態２について、図２を用いて説明する。
【００６０】
図２は、本発明の実施の形態２における画像表示装置のブロック図である。図１と異なり、電源２は、蓄電池１３と商用電源１４を備えている。画像表示装置１は、使用者の切り替えにより、商標電源１４から電力の供給を受けたり、蓄電池１３から電力の供給を受けたりする。例えば、商用電源１４が電力供給できない場合に、蓄電池１３が電力を供給する。
【００６１】
ここで、電源２において、蓄電池１３が電力を供給する場合に、計測部８は、電力残量を計測する。計測結果は選択部９に通知され、選択部９は、電力残量に従って、画像サイズ変換方式を選択する。選択は、実施の形態１で説明された内容と同様である。
【００６２】
実施の形態２においては、電源２として商用電源１４が用いられる場合と、蓄電池１３が用いられる場合の相違に応じて、画像サイズ変換方式が選択される。
【００６３】
例えば、電源２として商用電源１４が用いられる場合には、消費電力の大きいバイキュービック法５やバイリニア法６が選択される。商用電源１４による電力供給であれば、電力残量が低下することは少なく、消費電力が大きくても画質の高いバイキュービック法５やバイリニア法６が選択されることが好適だからである。
【００６４】
選択部９で選択された方式により、画像サイズ変換部４は、入力画像をサイズ変換して、画像格納部１１に、画像データを格納する。表示部１２は、画像格納部１１から画像データを取り出して、サイズ変換された画像を表示する。
【００６５】
一方、電源２として蓄電池１３が用いられる場合には、消費電力の小さなニアレストネイバー法７が選択される。蓄電池１３が用いられる場合には、電力消耗を最大限に抑制することが求められるので、消費電力の小さな画像サイズ変換方式が選択される。このように、蓄電池１３が用いられる場合には、最初から消費電力の小さな画像サイズ変換方式が選択されることで、蓄電池１３が使用されている間の電力消費を最小限にできる。
【００６６】
もちろん、実施の形態１で説明したように、蓄電池１３が用いられる場合でも、電力残量に応じて画像サイズ変換方式を切り替えてもよい。
【００６７】
なお、画像表示装置１が組み込まれた電子機器に設けられる電源切り替えスイッチなどからの通知により、蓄電池１３と商用電源１４のいずれが用いられるかを、選択部９は判断する。すなわち、使用者の設定動作（電源切り替えスイッチの設定動作など）に連動して、画像サイズ変換方式が選択される。
【００６８】
以上の処理により、商用電源１４から電力供給がされて電力消耗が問題にならない場合には、表示される画像の画質が優先される。蓄電池１３から電力供給がされて電力消耗が問題となる場合には、画質よりも消費電力が優先される。結果として、電子機器の動作時間と表示画質とのバランスが最適に図られる。
【００６９】
（実施の形態３）
次に、実施の形態３について図３を用いて説明する。
【００７０】
図３は、本発明の実施の形態３における画像表示装置のブロック図である。実施の形態３における画像表示装置１では、画像サイズ変換部４に含まれるメモリへの電力供給の制限により、更に電源２の電力消耗が抑制される。
【００７１】
メモリ１５、メモリ１６、メモリ１７は、画像サイズ変換部４に設けられている。
【００７２】
メモリ１５は、バイキュービック法５による補間の際に、演算の中間結果などを記憶する。すなわち、メモリ１５は、バイキュービック法５の専用メモリとして用いられる。
【００７３】
メモリ１６は、バイリニア法６による補間の際に、演算の中間結果などを記憶する。すなわち、メモリ１６は、バイリニア法６の専用メモリとして用いられる。
【００７４】
メモリ１７は、ニアレストネイバー法７による補間の際に、演算の中間結果などを記憶する。すなわち、メモリ１７は、ニアレストネイバー法７の専用メモリとして用いられる。
【００７５】
なお、図３では、メモリ１５〜１７は、画像サイズ変換部４内部に含まれているが、実際の装置においては、分離して設けられてもよい。
【００７６】
電力供給部３は、選択部９での選択結果を受けて、選択されない画像サイズ変換方式が使用するメモリに対する電力を遮断する。例えば、選択部９が、バイキュービック法５を選択した場合には、電力供給部３は、使用されないメモリ１６とメモリ１７に対する電力供給を遮断する。選択部９が、バイリニア法６を選択した場合には、電力供給部３は、使用されないメモリ１５とメモリ１７に対する電力供給を遮断する。選択部９が、ニアレストネイバー法７を選択した場合には、電力供給部３は、使用されないメモリ１５とメモリ１６に対する電力供給を遮断する。
【００７７】
また、メモリのみならず、選択されない画像サイズ変換方式を実現する回路に対する電力供給が遮断されることも好適である。画像サイズ変換に用いられる演算部などを実現する回路などへの電力供給も合わせて制限されることで、電力消耗が更に抑制される。
【００７８】
以上のように、選択部９での選択結果に基づいて、電力供給が制限されることで、電力消耗が更に抑制される。
【００７９】
（実施の形態４）
次に、実施の形態４について図４を用いて説明する。
【００８０】
図４は、本発明の実施の形態４における画像表示装置のブロック図である。図４においては、図１などと異なりクロック供給部１８が備えられている。なお、図３に示されているメモリ１５〜１７も、必要に応じて備えられる。
【００８１】
クロック供給部１８は、画像表示装置１内部にクロック信号を供給する。特に、画像サイズ変換部４に対してクロック信号を供給する。
【００８２】
クロック供給部１８は、選択部９での選択結果の通知を受ける。この通知により、クロック供給部１８は、複数の画像サイズ変換方式の内、どれが選択されたかを認識できる。この認識に基づいて、クロック供給部１８は、出力するクロック信号の周波数を増減させる。例えば、ニアレストネイバー法７が選択された場合には、電力残量が少ない状態であるので、クロック供給部１８は、出力するクロック信号の周波数を低減する。クロック信号の周波数低減により、電力消耗が更に抑制される。逆に、バイキュービック法５やバイリニア法６が選択された場合には、クロック供給部１８は、出力するクロック信号の周波数を通常の周波数に維持する。
【００８３】
以上の処理により、電力残量が十分に残っている場合には、画像サイズ変換を高速に行うことのできる周波数のクロック信号が供給される。電力残量が少なくなった場合には、消費電力の少ない画像サイズ変換方式が選択されるのに加えて、クロック周波数も低減されて、電力消耗がさらに抑制される。また、実施の形態３で説明したように、選択されなかった画像サイズ変換方式を実現する回路やメモリなどへの電力供給が制限されることも同時に行われることも好適である。更なる電力消耗の抑制が実現される。
【００８４】
また、クロック供給部１８は、画像サイズ変換方式毎に異なる周波数のクロック信号を出力してもよい。
【００８５】
例えば、クロック供給部１８は、バイキュービック法５の場合には３０ＭＨｚの周波数を持つクロック信号を出力し、バイリニア法６の場合には、２５ＭＨｚの周波数を持つクロック信号を出力し、ニアレストネイバー法７の場合には、２０ＭＨｚの周波数を持つクロック信号を出力する。
【００８６】
クロック供給部１８は、選択部９での選択結果に従い、選択された画像サイズ変換方式に対応する周波数のクロック信号を出力する。上記の例に従えば、例えば選択部９がバイキュービック法５を選択した場合は、クロック供給部１８は、３０ＭＨｚの周波数のクロック信号を出力する。選択部９がバイリニア法６を選択した場合は、クロック供給部１８は、２５ＭＨｚの周波数のクロック信号を出力する。選択部９がニアレストネイバー法７を選択した場合には、クロック供給部１８は、２０ＭＨｚの周波数のクロック信号を出力する。演算量の違いにより消費電力の小さい画像サイズ変換方式が選択される場合には、クロック周波数も低くなるため、更なる電力消耗の抑制が行われる。
【００８７】
以上のように、クロック供給部１８は、クロック周波数の増減を行うのではなく、選択された画像サイズ変換方式に対応するクロック周波数に切り替えることも好適である。
【００８８】
実施の形態４における画像表示装置１により、電力残量に応じて消費電力を適宜減少させることが可能である。
【産業上の利用可能性】
【００８９】
本発明は、電力消耗を適切に抑制する画像表示装置を備えた携帯端末などの電子機器において好適に利用できる。
【図面の簡単な説明】
【００９０】
【図１】本発明の実施の形態１における画像表示装置のブロック図である。
【図２】本発明の実施の形態２における画像表示装置のブロック図である。
【図３】本発明の実施の形態３における画像表示装置のブロック図である。
【図４】本発明の実施の形態４における画像表示装置のブロック図である。
【図５】画素の補間を示す模式図である。
【符号の説明】
【００９１】
１    画像表示装置
２    電源
３    電力供給部
４    画像サイズ変換部
５    バイキュービック法
６    バイリニア法
７    ニアレストネイバー法
８    計測部
９    選択部
１０    画像入力部
１１    画像格納部
１２    表示部
１３    蓄電池
１４    商用電源
１５、１６、１７    メモリ
１８    クロック供給部
【国際調査報告】
2006057133.tif 000007
2006057133.tif 000008